(57)【要約】      （修正有）【課題】患者が自己注射器を正しく操作して薬物投与を受けることができる薬物送達装置を提供する。【解決手段】筐体３４０と、筐体に設けられ、放出対象の薬物を収容する薬物容器２１０であって、第１の開口部を規定する第一端を有する薬物容器と、薬物容器内に配置され、薬物と接触するプランジャー２１４と、薬物容器の第１の開口部に第１の閉鎖封止を設ける第１の封止要素と、最初はプランジャーに対して第１の閉鎖封止の反対側に位置する押し込み部であって、第１の閉鎖封止を破り、プランジャーを薬物容器内で移動させて薬物を放出する押し込み部と、薬物容器を筐体内で移動させるよう構成された挿入メカニズムとを備え、押し込み部および挿入メカニズムは、使用前には、第１の封止要素とは接触しないよう保持される。【選択図】図１９
2019103857.tif 000002
【特許請求の範囲】
【請求項１】
薬物送達装置であって、
筐体と、
前記筐体に設けられ、放出対象の薬物を収容する薬物容器であって、第１の開口部を規定する第一端を有する薬物容器と、
前記薬物容器内に配置され、前記薬物と接触するプランジャーと、
前記薬物容器の前記第１の開口部に第１の閉鎖封止を設ける第１の封止要素と、
最初は前記プランジャーに対して前記第１の閉鎖封止の反対側に位置する押し込み部であって、前記第１の閉鎖封止を破り、前記プランジャーを前記薬物容器内で移動させて前記薬物を放出する押し込み部と、
前記薬物容器を前記筐体内で移動させるよう構成された挿入メカニズムとを備え、
前記押し込み部および前記挿入メカニズムは、使用前には、前記第１の封止要素とは接触しないよう保持される、薬物送達装置。
【請求項２】
請求項１に記載の薬物送達装置であって、
前記薬物容器は、前記薬物が放出される第２の開口部と、前記第１の開口部と前記第２の開口部との間に延びる少なくとも１つの側壁とを含み、
前記駆動メカニズムは、前記少なくとも１つの側壁と係合する、薬物送達装置。
【請求項３】
請求項１に記載の薬物送達装置であって、
前記プランジャーは、カップシール式プランジャーであり、前記プランジャーが前記薬物容器内を移動する際に前記プランジャーにかかる薬物の流体圧力の成分が、前記プランジャーと前記薬物容器の内表面との間の封止接触面に向うよう構成されている、薬物送達装置。
【請求項４】
請求項１に記載の薬物送達装置であって、
前記薬物容器の壁部と接触する前記プランジャーの周辺部は、実質的に非エラストマー材料を含む、薬物送達装置。
【請求項５】
請求項１に記載の薬物送達装置であって、
前記第１の封止要素が滅菌封止を設ける、薬物送達装置。
【請求項６】
請求項１に記載の薬物送達装置であって、
前記押し込み部は、装置の動作中前記第１の封止要素を貫通するように構成された、１もしくは複数の貫通要素または鋸歯を前記封止接触面に備える、薬物送達装置。
【請求項７】
請求項１に記載の薬物送達装置であって、
前記装置は自己注射器である、薬物送達装置。
【請求項８】
薬物送達装置であって、
筐体と、
前記筐体に設けられ、放出対象の薬物を収容する薬物容器であって、第１の開口部を規定する第一端を有する薬物容器と、
前記薬物容器内に配置され、前記薬物と接触するプランジャーと、
前記薬物容器の前記第１の開口部に第１の閉鎖封止を設ける第１の封止要素と、
最初は前記プランジャーに対して前記第１の閉鎖封止の反対側に位置する押し込み部であって、前記第１の閉鎖封止を破り、前記プランジャーを前記薬物容器内で移動させて前記薬物を放出する押し込み部と、
前記押し込み部が動作して前記第１の閉鎖封止が破られる前に、前記薬物容器を前記筐体内で移動させるよう構成された挿入メカニズムとを備え、
前記薬物容器が前記筐体内を移動する際、前記挿入メカニズムおよび筐体のいずれの要素も前記第１の封止要素に接触しない、薬物送達装置。
【請求項９】
請求項８に記載の薬物送達装置であって、
前記装置は自己注射器である、薬物送達装置。
【請求項１０】
薬物送達装置であって、
薬物容器と、
内部筐体と、
前記薬物容器に連結され、前記筐体内で前記薬物容器を挿入方向に移動させるよう構成された挿入メカニズムと、
使用時には注射部位に接触するよう構成されたスキンセンサー要素と、
前記スキンセンサーを前記挿入方向に付勢するスキンセンサー付勢要素とを備え、
前記スキンセンサー要素は、前記挿入メカニズムを作動させるために、初期位置から後退位置へ、前記挿入方向とは反対方向に動くことができ、
前記内部筐体は、前記スキンセンサー要素が前記挿入方向へ前記初期位置から移動することを抑制する第１のラッチ要素を含み、前記第１のラッチ要素は、前記スキンセンサー要素に係合するラッチ面と、第１のカム表面とを含み、
前記薬物容器または前記挿入メカニズムは、第２のカム表面を含み、前記第２のカム表面は、前記薬物容器が前記内部筐体内を移動すると前記第１のカム表面に係合して前記第１のラッチ要素を移動し、これにより、前記スキンセンサー要素が前記初期位置を超えて伸長位置まで前記挿入方向に移動することが可能となるよう構成される、薬物送達装置。
【請求項１１】
請求項１０に記載の薬物送達装置であって、
前記第１のラッチ要素は、弾力性のあるカンチレバーアームを含み、
前記ラッチ面および前記第１のカム表面は、前記カンチレバーアームの自由端に形成される、薬物送達装置。
【請求項１２】
請求項１１に記載の薬物送達装置であって、
前記カンチレバーアームは、前記スキンセンサー要素が前記初期位置にあるとき、前記スキンセンサー要素および前記スキンセンサー付勢要素によって張力で保持される、薬物送達装置。
【請求項１３】
請求項１０から１２のいずれか１項に記載の薬物送達装置であって、
前記内部筐体は、内部を前記薬物容器が移動する中央穴部を規定し、
前記第１および第２のカム表面は、前記穴部の外周に平行な方向に前記ラッチ要素を移動させるよう構成された、薬物送達装置。
【請求項１４】
請求項１３に記載の薬物送達装置であって、
前記第１のカム表面は、前記ラッチ面の内側に位置する、薬物送達装置。
【請求項１５】
請求項１０から１４のいずれか１項に記載の薬物送達装置であって、
前記第１のカム表面は、前記ラッチ面に平行ではない、薬物送達装置。
【請求項１６】
請求項１０から１５のいずれか１項に記載の薬物送達装置であって、
前記スキンセンサー要素は、前記スキンセンサー要素が前記後退位置にあるとき前記内部筐体の薬物容器ラッチに揃う第１の開口を少なくとも含む、薬物送達装置。
【請求項１７】
請求項１０から１６のいずれか１項に記載の薬物送達装置であって、
前記スキンセンサーは、前記初期位置または後退位置にあるときに、前記内部筐体の前記薬物容器を見る窓を塞がないよう構成される、薬物送達装置。
【請求項１８】
請求項１０から１７のいずれか１項に記載の薬物送達装置であって、
さらに、前記内部筐体に形成され、前記スキンセンサーが前記第１のラッチ要素から解放された後、前記後退位置へ移動しないよう構成された第２のラッチ要素を備える、薬物送達装置。
【請求項１９】
請求項１８に記載の薬物送達装置であって、
前記第２のラッチ要素は、第２の開口または前記スキンセンサー要素の突出部と係合する、薬物送達装置。
【請求項２０】
請求項１０から１９のいずれか１項に記載の薬物送達装置であって、
前記後退位置において、前記スキンセンサー要素は前記内部筐体に当接する、薬物送達装置。
【発明の詳細な説明】
【技術分野】
【０００１】
本発明は、患者に薬物を投与する装置に関し、特に、自己注射器に関する。
【背景技術】
【０００２】
自己注射器は、投与前の医療用、治療用、診断用、医薬品用、または化粧品用の化合物（薬物）を収容する薬物送達装置であり、この化合物を中空針を経由して患者の皮膚から投与するために用いられる。自己注射器は、患者本人もしくは別のユーザによって使用されてもよく、動物に薬物を投与する際に用いられてもよい。
【０００３】
一般に、自己注射器が用いられるのは、患者に対する針の挿入および薬物の針からの放出プロセスの一方または両方を自動化することにより、シリンジにおいて必要とされるような訓練や手間が低減されるからである。また、患者に針が見えないようにすることにより挿入に対する恐怖を低減することができ、患者を針刺し損傷から保護することもできる。
【０００４】
通常、自己注射器は、薬物を収容する筐体と、自動メカニズムによって筐体内を移動して薬物を放出するよう駆動されるプランジャーとを有している。この自動メカニズムは、針を筐体に対して移動させて対象に挿入してもよい。このメカニズムの原動力は、１つ以上のバネ、または圧縮ガスなどそのほかの動力源によって与えられてもよい。
【０００５】
自己注射器は、エピネフリンなどのいわゆるクライシスドラッグの送達に用いられ、この場合、患者は、アナフィラキシーショックによる重度のストレス下において、薬物を自己注射しなければならないことがある。また、関節リウマチなどの長期疾患用の薬物の送達にも用いられ、この場合、患者の器用さに制限があることがある。
【０００６】
いずれにしても、患者が自己注射器を正しく操作して薬物投与を受けることができる可能性を最大限に高めるためには、自己注射器のユーザインターフェースが簡単で使いやすいことは有益である。また、薬物の送達が無事に完了したことを患者に対して音で示すことができることが望ましい。
【０００７】
また、自己注射器は、小型で、確実かつ頑丈であり、製造が簡単であり、輸送中および意図された使用の前は保護されており、高粘度の薬物に適していることが望ましい。
【発明の概要】
【０００８】
本発明は添付の請求項に定義されるものであり、これについて以下に説明する。有利な特徴については、従属請求項に定められる。
【０００９】
第１の様態において、薬物送達装置であって、
薬物を収容する薬物容器と、
上記薬物容器内に設けられたプランジャーであって、上記薬物容器内における運動が上記薬物を上記薬物容器から送達するよう動作するプランジャーと、
圧縮状態から拡張することによりエネルギーを解放するよう構成された蓄積エネルギー源と、上記蓄積エネルギー源に連結された第１の駆動要素と、上記第１の駆動要素に連結され、上記第１の駆動要素と上記プランジャーとの間に配置された第２の駆動要素とを含む駆動メカニズムとを備え、
上記駆動メカニズムの第１の位置において、上記第１の駆動要素は、上記第２の駆動要素に対して軸方向への移動が抑制されているが、上記駆動メカニズムの第２の位置において、上記第１の駆動要素は、上記蓄積エネルギー源により上記第１の駆動要素の第１の表面が上記第２の駆動要素の第１の表面に対して駆動されて上記薬物容器からの薬物送達の完了を示す音による信号を生成するように、上記第２の駆動要素に対して上記軸方向へ自由に移動できる、薬物送達装置が提供される。
【００１０】
薬物送達装置において薬物送達完了の音による指示を出すために用いられる従来のメカニズムには、この音による指示が十分に大きくないという問題があった。通常、この音は薬物を装置から押し出す駆動要素の一部が、装置筐体の静止部分を通過する際にこの静止部分にぶつかることによる。本発明の解決方法では、駆動メカニズムが装置内の所定の位置に到達するときに、複数のパーツを有する駆動メカニズムの２つのパーツを蓄積エネルギー源を用いて互いに向かって駆動している。これにより、これらのパーツを硬質なものとし互いに向って高速で駆動することができるため、はるかに大きい音が生じる。
【００１１】
好都合には、上記蓄積エネルギー源の伸長は、上記駆動メカニズムが上記第１の位置から上記第２の位置へと移動させる。
【００１２】
第１の駆動要素が第１の位置において第２の駆動要素に対して軸方向に移動することを抑制するために、駆動メカニズム内に、装置の外部要素と相互作用するさらなる要素を用いることができる。代替的に、駆動メカニズムが内部を移動する筐体の外部要素を、第１または第２の駆動要素と相互作用して第１および第２の駆動要素の間の相対的な軸方向の運動を抑制するために用いてもよい。
【００１３】
いくつかの実施形態において、上記駆動メカニズムは第３の駆動要素を含んで、上記第３の駆動要素は、上記駆動メカニズムが上記第１の位置にあるとき、上記第１の駆動要素と上記第２の駆動要素との間の相対運動を抑制してもよく、上記第３の駆動要素は、上記駆動メカニズムが上記第２の位置へ向かって移動すると、上記薬物容器または上記薬物送達装置の筐体の一部に係合するよう構成されている。
【００１４】
上記第３の駆動要素は、上記駆動メカニズムの上記第１の位置と上記第２の位置との間の解放位置で、上記薬物容器または上記薬物送達装置の上記筐体の一部に係合するよう構成されてもよく、上記駆動メカニズムが上記解放位置から上記第２の位置へ向かって移動すると、上記第３の駆動要素は、上記薬物容器または筐体に対して静止状態で保持されて、上記第１または第２の駆動部材を上記第３の駆動部材から解放してもよい。上記第３の駆動要素は、上記第１および第２の駆動要素の間に配置されてもよい。
【００１５】
第１の駆動要素の第１の表面が第２の駆動要素の第１の表面に向って確実に正しい時間で、すなわち薬物が駆動メカニズムによって完全に（またはほぼ完全に）薬物容器から放出されるときに、駆動されることは重要である。上記装置の構成部品の寸法は、どのような製造プロセスを取るにしても、装置によって多少のばらつきが不可避である。第３の要素を薬物容器に直接的に係合する構成の利点は、第１の駆動要素が第２の駆動要素の第１の表面に向って駆動されるタイミングの決定にかかわる独立した要素の数を比較的少数にすることができることにあり、そのため各要素に非常に小さな誤差が求められることが減り、音による指示のタイミングをよりぴったりと薬物送達終了に合わせることができる。
【００１６】
駆動メカニズムの第１の位置では、第１の駆動要素および第２の駆動要素は、相対的な回転をすることが抑制される。駆動メカニズムの第２の位置においては、第１の駆動要素および第２の駆動要素は、互いに対して自由に回転することができ、この相対的な回転の後またはその最中に、互いに対して軸方向に移動することができる。
【００１７】
上記第１の駆動要素は第１のベアリング面を含んでもよく、上記第２の駆動要素は、上記駆動メカニズムの上記第１の位置の上記第１のベアリング面と係合する第２のベアリング面を含んでもよく、上記第１の駆動要素の上記第２の駆動要素に対する回転は、上記第１のベアリング面を上記第２のベアリング面から離すように移動して、上記第１の駆動要素の上記第１の表面が上記第２の駆動要素の上記第１の表面に衝突可能なようにし、上記駆動メカニズムの上記第１の位置において、上記第３の駆動要素は、上記第１の駆動要素と上記第２の駆動要素との相対的な回転を抑制し、上記第２の位置において、上記第３の駆動要素は、上記第３の駆動要素が上記第１の駆動要素と上記第２の駆動要素との相対的な回転を抑制しない位置まで、上記第１および第２の駆動要素に対して軸方向に移動する。
【００１８】
上記第２の駆動要素は、上記第１の位置において上記第３の駆動要素と係合して上記第２の駆動要素と上記第３の駆動要素との相対的な回転を防止する、第１の軸方向に延びる突出部またはスロットを含んでもよく、上記第１の駆動要素は、上記第１の位置において上記第３の駆動要素と係合して上記第３の駆動要素と上記第１の駆動要素との相対的な回転を防止する、軸方向に延びるスロットまたは突出部を含んでもよい。
【００１９】
上記第３の駆動要素は、上記第２の駆動要素の少なくとも一部の周囲に延びてもよく、上記第１の駆動要素は、上記第３の駆動要素の少なくとも一部の周囲に延びてもよい。第１および第３の駆動要素は、概ね管状である。
【００２０】
代替的に、あるいは追加的に、上記薬物送達装置は、さらに、上記薬物容器に連結または一体化された筐体要素であって、上記筐体要素は上記駆動メカニズムの上記第１の位置において上記第１の駆動要素が上記第２の駆動要素に対して移動することを抑制する筐体要素を備えてもよい。上記薬物送達装置は、さらに、外部筐体を備えてもよく、上記薬物容器は、上記装置の動作中、上記外部筐体内部を移動するよう構成され、上記筐体要素は、上記薬物容器とともに上記外部筐体内部を移動する。上記薬物送達装置は、皮下注射針を備えてもよく、筐体要素は、薬物容器を筐体で移動させて針を注射部位に挿入する針挿入メカニズムの一部であってもよい。
【００２１】
上記薬物送達装置は、自己注射器であってもよい。
【００２２】
第２の様態において、薬物送達装置であって、
筐体と、
薬物容器と、
上記薬物容器に連結されたパワーパックアセンブリであって、
圧縮状態から拡張することによりエネルギーを解放する蓄積エネルギー源と、
上記蓄積エネルギー源と係合し、上記蓄積エネルギー源と上記薬物容器との間に配置される挿入部材と、
第１の位置において上記蓄積エネルギー源および上記挿入部材と係合し、上記蓄積エネルギー源を第１の圧縮状態に保持する保持手段と、を含むパワーパックアセンブリであり、
上記保持手段および筐体が、上記パワーパックアセンブリと上記筐体とが係合すると、上記筐体により上記保持手段が第２の位置へ移動するよう構成され、上記第２の位置において、上記保持手段は上記蓄積エネルギー源または上記挿入部材から外れ、
上記薬物容器および筐体が、上記保持手段が上記第２の位置に移動されると、上記蓄積エネルギー源が上記薬物容器によって第２の圧縮状態に保持されるよう構成される、パワーパックアセンブリと、
上記自己注射器が使用されるときに、上記蓄積エネルギー源を上記第２の圧縮状態から解放するよう構成されるトリガーメカニズムとを備える、薬物送達装置を提供する。
【００２３】
上記筐体は、上記保持手段の第２のカム面に係合するよう構成された第１のカム面を含んでもよい。上記保持手段および筐体は、上記パワーパックアセンブリが上記筐体へ係合すると、上記保持手段が上記筐体により上記第２の位置へ回転させられるよう構成されてもよい。
【００２４】
蓄積エネルギー源は、例えば圧縮バネまたはガススプリングであってもよい。
【００２５】
上記薬物送達装置は、さらに、上記薬物容器内でプランジャーを駆動するよう構成された駆動メカニズムであって、第２の蓄積エネルギー源と、上記第１の蓄積エネルギー源および上記第２の蓄積エネルギー源の解放シーケンスを制御するよう構成される解放メカニズムとを含む駆動メカニズムを備えて、上記保持手段は、上記解放メカニズムの一部を形成してもよい。
【００２６】
上記駆動メカニズムは、上記筐体内で上記薬物容器を長手方向に駆動するよう構成されてもよく、上記保持手段は、長手方向に延び、上記駆動メカニズムの駆動要素を上記挿入部材に保持して、上記第２の蓄積エネルギー源の解放を防止する保持肢を有する。上記保持肢は、実質的に上記薬物容器の上記筐体内での移動の終点で、上記駆動要素を上記挿入部材から解放するよう構成されてもよい。上記保持手段および筐体は、上記保持手段が長手方向の軸を中心に上記筐体により上記第２の位置へ回転するよう構成されてもよい。上記保持手段は、上記筐体内に保持され、使用中は使用者の手が届かないよう構成することができる。本明細書において、軸方向、長手方向、および挿入方向は、同じ方向を意味する。
【００２７】
上記装置の使用前は、上記第１の蓄積エネルギー源は、少なくとも部分的に上記第２の蓄積エネルギー源内に配置されてもよい。上記挿入要素は、上記第１の蓄積エネルギー源と係合するベアリング面を含む第１の部分と、上記第１の部分から延びる第２の部分とを含み、上記第２の部分は上記第２の蓄積エネルギー源が入る凹部を規定してもよい。
【００２８】
挿入要素は、装置の製造および組み立てを簡便にするために、２つの要素から組み立てられてもよい。
【００２９】
駆動部材は、本発明の第１の様態にかかる音による指示をあたえるメカニズムを含んでもよい。
【００３０】
上記薬物容器は、上記筐体または上記筐体に連結された内部要素の１もしくは複数のラッチによって保持されて、上記蓄積エネルギー源を上記第２の圧縮状態に保持されてもよい。
【００３１】
上記トリガーメカニズムは、注射部位に押し付けられると移動して上記駆動手段を上記第２の変形状態から解放するよう構成された可動スキンセンサー要素を含んでもよい。
【００３２】
上記薬物送達装置は、自己注射器であってもよい。
【００３３】
本発明の第３の様態において、本発明の第２の様態にかかる薬物送達装置の組み立て方法であって、
蓄積エネルギー源をパワーパック筐体を有するパワーパックアセンブリ内に配置または形成するステップと、
上記駆動部材および上記パワーパック筐体に第１の位置で連結された保持手段を用いて、上記蓄積エネルギー源を上記パワーパックアセンブリ内で第１の圧縮状態に保持するステップと、
パワーパックアセンブリを、上記自己注射器によって放出される薬物を収容する薬物容器アセンブリに連結するステップと、
上記パワーパックアセンブリおよび薬物容器アセンブリを外部筐体に連結するステップと、
上記蓄積エネルギー源を第２の圧縮状態へと解放するために、上記保持手段を第２の位置に移動するステップとを含み、
上記薬物容器アセンブリおよび外部筐体は、上記蓄積エネルギー源を上記第２の圧縮状態に保持し、上記第２の圧縮状態において、上記蓄積エネルギー源は、上記自己注射器が用いられる際の針挿入および／または薬物放出に十分なポテンシャルエネルギーを蓄積する、薬物送達装置の組み立て方法を提供する。
【００３４】
上記保持手段を移動するステップは、上記外部筐体に連結するステップの結果として行われてもよい。
【００３５】
上記保持手段を移動するステップは、上記保持手段の上記パワーパック筐体に対する回転を含んでもよい。
【００３６】
第４の様態において、薬物送達装置であって、
装置筐体と、
上記筐体内に設けられた、薬物を収容する薬物容器であって、プランジャーが内部に配置され、上記薬物を放出する出口を有する薬物容器と、
上記薬物容器に固定または当接する挿入部材と、上記挿入部材および上記装置筐体の間に配置された第１の蓄積エネルギー源と、上記挿入部材および駆動部材の間に配置された第２の蓄積エネルギー源とを含むパワーパックアセンブリとを備え、
使用時において、上記駆動部材は、上記プランジャーに係合するよう構成され、初期位置では、上記第１の蓄積エネルギー源は少なくとも部分的に上記第２の蓄積エネルギー源内に配置される、薬物送達装置を提供する。
【００３７】
上記挿入部材は、上記第１の蓄積エネルギー源によって駆動されて、上記薬物容器を上記筐体内で移動させてもよく、上記駆動部材は、上記第２の蓄積エネルギー源によって駆動されて、上記プランジャーを上記薬物容器内で移動させてもよい。
【００３８】
上記第２の蓄積エネルギー源は、上記装置の動作前は上記挿入部材内に保持されてもよい。
【００３９】
上記挿入部材は、上記第１の蓄積エネルギー源と係合する第１のベアリング面を含む第１の部分と、上記第１の部分から延びる第２の部分とを含んで、上記第２の部分は上記第２の蓄積エネルギー源が入る凹部を規定してもよい。挿入部材の第１または第２の部分は、駆動部材と係合する第２のベアリング面を含んでもよい。
【００４０】
上記薬物送達装置は、さらに、上記装置筐体に連結され、上記第１の蓄積エネルギー源内に延び、上記駆動部材または上記挿入部材と係合して上記駆動部材が上記第２のベアリング面から外れることを防止する保持手段を備えてもよい。上記装置は、上記筐体内での上記挿入部材の挿入位置への移動が上記駆動部材を上記保持手段から解放するよう構成されてもよい。
【００４１】
第１の蓄積エネルギー源は、拡張して装置筐体内で挿入部材を駆動するエネルギーを解放するよう構成されてもよく、第１の蓄積エネルギー源は、装置筐体の一部の薬物容器への係合により当初の拡張が防止されていてもよい。
【００４２】
上記薬物送達装置は、自己注射器であってもよい。
【００４３】
本発明の第５の様態において、薬物送達装置であって、
薬物容器と、
内部筐体と、
上記薬物容器に連結され、上記筐体内で上記薬物容器を挿入方向に移動させるよう構成された挿入メカニズムと、
使用時には注射部位に接触するよう構成されたスキンセンサー要素と、
上記スキンセンサーを上記挿入方向に付勢するスキンセンサー付勢要素とを備え、
上記スキンセンサー要素は、上記挿入メカニズムを作動させるために、初期位置から後退位置へ、上記挿入方向とは反対方向に動くことができ、
上記内部筐体は、上記スキンセンサー要素が上記挿入方向へ上記初期位置から移動することを抑制する第１のラッチ要素を含み、上記第１のラッチ要素は、上記スキンセンサー要素に係合するよう構成されたラッチ面と、第１のカム表面とを含み、
上記薬物容器または上記挿入メカニズムは、第２のカム表面を含み、上記第２のカム表面は、上記薬物容器が上記内部筐体内を移動すると上記第１のカム表面に係合して上記第１のラッチ要素を軸方向に移動し、これにより、上記スキンセンサー要素が上記初期位置を超えて伸長位置まで上記挿入方向に移動することが可能となるよう構成される、薬物送達装置を提供する。
伸長位置において、スキンセンサー要素は、針を覆う。
【００４４】
上記第１のラッチ要素は、弾力性のあるカンチレバーアームを含んでもよく、上記ラッチ面および上記第１のカム表面は、上記カンチレバーアームの自由端に形成される。上記カンチレバーアームは、上記スキンセンサー要素が上記初期位置にあるとき、上記スキンセンサー要素および上記スキンセンサー付勢要素によって張力で保持されてもよい。
【００４５】
上記内部筐体は、内部を上記薬物容器が移動する中央穴部を規定してもよく、上記第１および第２のカム表面は、上記穴部の外周に平行な方向に上記ラッチ要素を移動させるよう構成されてもよい。上記第１のカム表面は、上記ラッチ面の内側に位置してもよい。好都合には、上記第１のカム表面は、上記ラッチ面に平行ではない。この文脈で、内側とは、装置の外表面からさらに内側を意味する。
【００４６】
上記スキンセンサー要素は、上記スキンセンサー要素が上記後退位置にあるとき上記内部筐体の薬物容器ラッチに揃う第１の開口を少なくとも含んでもよい。
【００４７】
上記スキンセンサーは、上記初期位置または後退位置にあるときに、上記内部筐体の上記薬物容器を見る窓を塞がないよう構成されてもよい。
【００４８】
上記薬物送達装置は、さらに、上記内部筐体に形成され、上記スキンセンサーが上記第１のラッチ要素から解放された後上記後退位置へ移動しないよう構成された第２のラッチ要素を備えてもよい。上記第２のラッチ要素は、第２の開口または上記スキンセンサー要素の突出部と係合してもよい。
【００４９】
後退位置において、スキンセンサー要素は内部筐体に当接してもよく、スキンセンサー要素が内部筐体に対して挿入方向と反対の方向にさらに移動することを防止する。
【００５０】
上記薬物送達装置は、自己注射器であってもよい。
【００５１】
本発明の第６の様態において、針アセンブリであって、
皮下注射針と、
上記針の第一端が固定された針ハブと、
上記針ハブに連結され、上記針の第二端を覆う、少なくとも上記針の一部の周囲に滅菌バリアを設ける剛体を有する針シールドと、
上記剛体内に設けられ、上記針の第二端の周囲に液密封止を設ける従属要素とを備え、
上記剛体は、上記針ハブとの締まりばめを設け、これにより上記針ハブの周囲に封止を設けるよう構成される、針アセンブリが提供される。
【００５２】
上記剛体は、高密度ポリエチレンまたはポリプロピレンなどの成型プラスチック材料で形成されてもよい。
【００５３】
上記針アセンブリは、上記剛体の内表面または上記針ハブの外表面に、少なくとも１つの円周リブを備えてもよい。好ましくは、上記針アセンブリは、上記剛体の内表面に、少なくとも２つの円周リブを備えてもよい。剛体が針ハブに嵌る前の各リブの接点における曲率半径は、好ましくは０．６ｍｍ未満である。各リブの接点は、剛体が針ハブに嵌ると最初に針ハブに接触するよう構成された当該リブの表面上の点である。
【００５４】
針ハブは、環状オレフィン重合体などの成型プラスチック材料で形成されてもよい。上記針ハブの表面仕上げは、山部と谷部の間の最大距離が２μｍ以下であってもよい。好ましくは、針ハブの表面仕上げは、０．２Ｒａ以下である。針ハブは、剛体が連結される円形円筒形状の外表面を有してもよい。剛体の内表面の表面仕上げは、好ましくは０．２Ｒａ以下である。剛体の内表面の表面仕上げは、山部と谷部の間の最大距離が２μｍ以下であってもよい。
【００５５】
上記剛体は、少なくとも１つの突出部または凹部を有する外表面を含んでもよい。上記剛体の少なくとも一部が透明であってもよい。
【００５６】
従属要素は、剛体および針ハブにより、完全に囲まれていてもよく、または部分的に囲まれていてもよい。上記従属要素は、上記剛体の少なくとも１つの突出部によって上記剛体に保持されてもよい。
【００５７】
上記針アセンブリは、さらに、上記従属要素または上記剛体に設けられた、上記従属要素の上記剛体への挿入中に上記剛体から空気を逃がすことができる、少なくとも１つの排出口を備えてもよい。また、剛体は従属要素上に成型されてもよく、従属要素が剛体の内部に成型されてもよい。
【００５８】
本発明の第７の様態において、第６の様態にかかる針アセンブリを備える、自己注射器またはシリンジを提供する。
【００５９】
本発明の第８の様態において、針アセンブリの製造方法であって、
針の第一端を針ハブに固定するステップと、
上記針の第二端を覆う針シールドを上記針ハブに連結するステップとを含み、
上記針シールドは、剛体と従属要素を含み、上記剛体は、上記針ハブとの締まりばめを設けて、これにより上記針ハブの周囲に封止を設けるよう構成され、上記剛体は、少なくとも上記針の一部の周囲に滅菌バリアを設け、上記連結ステップは、上記従属要素が上記針の第二端の周囲に液密封止を設けるよう上記針の第二端を上記従属要素へ挿入することを含む、針アセンブリの製造方法を提供する。
【００６０】
本発明の第９の様態において、薬物送達装置であって、
薬物を収容する薬物容器と、上記薬物容器に連結され、これを通して上記薬物を放出することができる皮下注射針と、上記薬物容器内部に設けられたプランジャーとを備える薬物容器アセンブリと、
内部に上記薬物容器が移動可能に配置された内部筐体と、
少なくとも１つの蓄積エネルギー源を含み、上記薬物容器に連結されたパワーパックアセンブリと、
上記内部筐体に固定された下部筐体と、
上記下部筐体に固定され、上記パワーパックアセンブリを囲む上部筐体と、
上記下部筐体と上記内部筐体との間に延びて、上記内部筐体および上記下部筐体に対して可動であるスキンセンサー要素と、
上記スキンセンサー要素を覆い、上記下部筐体に連結されたキャップとを備える、薬物送達装置を提供する。
【００６１】
上部筐体は、１または複数の機械的固定具を用いて下部筐体に固定されてもよい。
【００６２】
上記装置は、上記スキンセンサー要素の初期位置から後退位置への上記内部筐体に対する移動が、上記パワーパックアセンブリ内の上記蓄積エネルギー源を解放するよう構成されてもよい。
【００６３】
上記内部筐体は、上記スキンセンサー要素が上記初期位置にあるとき、上記薬物容器と係合し、上記薬物容器を上記薬物容器の初期位置に保持して上記蓄積エネルギー源を保持する保持ラッチを含んでもよく、上記スキンセンサー要素の上記後退位置への移動が、上記保持ラッチが上記薬物容器から外れることができるようにし、これにより上記蓄積エネルギー源が解放される。
【００６４】
上記内部筐体は、上記スキンセンサー要素の上記初期位置からの移動を抑制する第１のラッチ要素を含んでもよい。第１のラッチ要素は、自由端でスキンセンサー要素と係合する弾力性のあるアームであってもよい。
【００６５】
上記下部筐体または内部筐体は、上記スキンセンサーが上記伸長位置に移動した後、上記スキンセンサー要素を伸長位置にロックする第２のラッチ要素を含んでもよい。
【００６６】
上記パワーパックアセンブリは、第１および第２の蓄積エネルギー源を含んでもよく、
上記第１の蓄積エネルギー源は、上記薬物容器を上記薬物容器の初期位置から上記薬物容器の挿入位置へ移動させるエネルギーを与え、
上記第２の蓄積エネルギー源は、上記薬物容器内の上記プランジャーを移動させて上記薬物を放出するエネルギーを与える。上記パワーパックアセンブリは上記薬物容器に固定されてもよい。蓄積エネルギー源は、圧縮バネであってもよい。
【００６７】
パワーパックアセンブリは、本発明の第２の様態にかかる保持手段を含んでもよい。パワーパックは、本発明の第１の様態にかかる駆動メカニズムを含んでもよい。
【００６８】
上記内部筐体は、上記薬物容器が挿入位置に移動すると上記薬物容器と係合するよう構成されたストップ面を含んでもよい。ストップ面は、薬物容器が挿入位置へ移動すると薬物容器により変形される１または複数の弾力性のある片持ち梁を含んでもよい。
【００６９】
キャップは、直接または間接的にスキンセンサー要素に係合して、スキンセンサー要素が初期位置から後退位置へ移動することを防止してもよい。
【００７０】
上部筐体または下部筐体は、薬物を見ることができる開口を含んでもよい。上記内部筐体または上記下部筐体は、透明であってもよく、上部筐体の上記開口と係合するよう構成されてもよい。
【００７１】
上記上部筐体は、それぞれが上記薬物を見ることができる開口を含む２つの主面と、２つの副面とを含んでもよい。上記第１および第２のラッチ要素は、上記上部筐体の副面に隣接して配置されてもよい。
【００７２】
上記薬物送達装置は、自己注射器であってもよい。
【００７３】
本発明の第１０の様態において、第９の様態にかかる薬物送達装置の組み立て方法であって、
上記パワーパックアセンブリを設けるステップと、
上記薬物容器アセンブリを設けるステップと、
上記内部筐体と、上記下部筐体と、上記スキンセンサーとを有する前端部アセンブリと、キャップとを設けるステップと、
上記上部筐体を設けるステップと、
上記パワーパックアセンブリを上記薬物容器アセンブリに連結するステップと、
上記薬物容器アセンブリを上記前端部アセンブリに連結するステップと、
上記パワーパックアセンブリ、薬物容器アセンブリ、および前端部アセンブリを、上記上部筐体に連結するステップとを含む、薬物送達装置の組み立て方法を提供する。
【００７４】
パワーパックアセンブリを薬物容器アセンブリに連結するステップは、薬物容器アセンブリを前端部アセンブリに連結するステップの前に行われても後に行われてもよい。同様に、キャップは、前端部アセンブリのその他の要素に方法のどの時点で連結されてもよい。
【００７５】
発明の第１１の様態において、薬物送達装置であって、
筐体と、
上記筐体内に設けられた薬物容器と、
上記薬物容器を上記筐体内で初期位置から挿入位置へ軸方向に移動させるよう構成されたパワーパックアセンブリとを備え、
上記筐体は、上記薬物容器が上記挿入位置に到達すると上記薬物容器と係合するよう構成されたストップ面を含み、
上記ストップ面は、上記筐体の少なくとも１つの、弾力性があり、上記軸方向に屈折可能である梁に設けられる、薬物送達装置を提供する。
【００７６】
上記ストップ面は、一対の片持ち梁に設けられてもよい。上記装置は、外部筐体と内部筐体とを備えてもよく、上記ストップ面は、上記内部筐体に設けられる。
【００７７】
上記薬物容器は、皮下注射針を含んでもよい。
【００７８】
上記薬物送達装置は、自己注射器であってもよい。
【００７９】
本発明の第１２の様態において、薬物送達装置であって、
筐体と、
上記筐体に設けられ、放出対象の薬物を収容する薬物容器であって、第１の開口部を規定する第一端を有する薬物容器と、
上記薬物容器内に配置され、上記薬物と接触するプランジャーと、
上記薬物容器の上記第１の開口部に第１の閉鎖封止を設ける第１の封止要素と、
最初は上記プランジャーに対して上記第１の閉鎖封止の反対側に位置する押し込み部であって、上記第１の閉鎖封止を破り、上記プランジャーを上記薬物容器内で移動させて上記薬物を放出する押し込み部と、
上記薬物容器を上記筐体内で移動させるよう構成された挿入メカニズムとを備え、
上記押し込み部および上記挿入メカニズムは、使用前には、上記第１の封止要素とは接触しないよう保持される、薬物送達装置を提供する。
【００８０】
封止要素は、積層ホイルであってもよく、薬物容器に溶接されても接着されてもよい。本明細書の請求項および説明において用いられる「閉鎖封止」という用語は、保管中に予測可能な外的要素による容器内の薬物の劣化や汚染を防止する封止を指すものである。閉鎖封止は、公式または認定された必須要件に従って、容器内の薬物の安全性、識別性、強度、品質、無菌状態および／または純度を維持する。
【００８１】
上記薬物容器は、上記薬物が放出される第２の開口部と、上記第１の開口部と上記第２の開口部との間に延びる少なくとも１つの側壁とを含んでもよく、上記駆動メカニズムは、上記少なくとも１つの側壁と係合する。
【００８２】
上記薬物送達装置は、自己注射器であってもよい。
【００８３】
第１３の様態において、薬物送達装置であって、
筐体と、
上記筐体に設けられ、放出対象の薬物を収容する薬物容器であって、第１の開口部を規定する第一端を有する薬物容器と、
上記薬物容器内に配置され、上記薬物と接触するプランジャーと、
上記薬物容器の上記第１の開口部に第１の閉鎖封止を設ける第１の封止要素と、
最初は上記プランジャーに対して上記第１の閉鎖封止の反対側に位置する押し込み部であって、上記第１の閉鎖封止を破り、上記プランジャーを上記薬物容器内で移動させて上記薬物を放出する押し込み部と、
上記押し込み部が動作して上記第１の閉鎖封止が破られる前に、上記薬物容器を上記筐体内で移動させるよう構成された挿入メカニズムとを備え、
上記薬物容器が上記筐体内を移動する際、上記挿入メカニズムおよび筐体のいずれの要素も上記第１の封止要素に接触しない、薬物送達装置を提供する。
【００８４】
上記薬物送達装置は、自己注射器であってもよい。
【００８５】
本発明のある様態に関して説明された特徴は、本発明の他のいずれの様態にも等しく適用することができる。
【図面の簡単な説明】
【００８６】
本発明の実施形態を、一例として以下のような添付の図面を参照し説明する。
【００８７】
【図１】図１は、本発明の第１の実施形態にかかる使用前の自己注射器の斜視図である。
【図２】図２は、図１の自己注射器の第１の断面である。
【図３】図３は、図１の自己注射器の第２の断面である。
【図４ａ】図４ａは、薬物容器アセンブリの斜視図である。
【図４ｂ】図４ｂは、薬物容器アセンブリの断面図である。
【図５】図５は、針シールドと薬物容器の針ハブとを示す断面である。
【図６ａ】図６ａは、パワーパック筐体の第１の部分断面である。
【図６ｂ】図６ｂは、パワーパック筐体の第２の部分断面である。
【図７】図７は、パワーパックアセンブリの上面斜視図である。
【図８】図８は、初期構成の駆動部材の斜視図である。
【図９】図９は、薬物送達後の、最終構成の駆動部材の斜視図である。
【図１０】図１０は、スキンセンサー要素の斜視図である。
【図１１】図１１は、内部筐体の斜視図である。
【図１２】図１２は、下部筐体の斜視図である。
【図１３ａ】図１３ａは、上部筐体およびキャップが取り外された本装置の側面図であり、初期位置にあるスキンセンサー要素を示す図である。
【図１３ｂ】図１３ｂは、上部筐体およびキャップが取り外された本装置の側面図であり、後退位置にあるスキンセンサー要素を示す図である。
【図１３ｃ】図１３ｃは、上部筐体およびキャップが取り外された本装置の側面図であり、後退位置にあるスキンセンサー要素と、パワーパックアセンブリにより屈折させられたスキンセンサーラッチ要素とを示す図である。
【図１３ｄ】図１３ｄは、上部筐体およびキャップが取り外された本装置の側面図であり、最終位置にあるスキンセンサー要素とパワーパックアセンブリとを示す図である。
【図１４】図１４は、キャップの斜視図である。
【図１５】図１５は、キャップを取り外す前の本装置の前端部の断面図である。
【図１６ａ】図１６ａは、動作シーケンスを説明する第１の実施形態における断面図である。
【図１６ｂ】図１６ｂは、動作シーケンスを説明する第１の実施形態における断面図である。
【図１６ｃ】図１６ｃは、動作シーケンスを説明する第１の実施形態における断面図である。
【図１６ｄ】図１６ｄは、動作シーケンスを説明する第１の実施形態における断面図である。
【図１６ｅ】図１６ｅは、動作シーケンスを説明する第１の実施形態における断面図である。
【図１６ｆ】図１６ｆは、動作シーケンスを説明する第１の実施形態における断面図である。
【図１６ｇ】図１６ｇは、動作シーケンスを説明する第１の実施形態における断面図である。
【図１７】図１７は、本発明の第１の実施形態にかかる自己注射器の組み立てプロセスを説明する模式図である。
【図１８】図１８は、本発明の第２の実施形態にかかる使用前の自己注射器の斜視図である。
【図１９】図１９は、図１８の自己注射器の第１の断面である。
【図２０】図２０は、図１８の自己注射器の第２の断面である。
【図２１】図２１は、第２の実施形態の薬物容器アセンブリの斜視図である。
【図２２】図２２は、第２の実施形態のパワーパック筐体の斜視図である。
【図２３】図２３は、第２の実施形態のスキンセンサー要素の斜視図である。
【図２４】図２４は、第２の実施形態のシャーシの斜視図である。
【図２５ａ】図２５ａは、スキンセンサー要素、シャーシ、パワーパック筐体の側面図であり、使用中のスキンセンサー要素の動きのシーケンスを示す図である。
【図２５ｂ】図２５ｂは、スキンセンサー要素、シャーシ、パワーパック筐体の側面図であり、使用中のスキンセンサー要素の動きのシーケンスを示す図である。
【図２５ｃ】図２５ｃは、スキンセンサー要素、シャーシ、パワーパック筐体の側面図であり、使用中のスキンセンサー要素の動きのシーケンスを示す図である。
【図２６】図２６は、第２の実施形態の下部筐体の斜視図である。
【図２７】図２７は、第２の実施形態のキャップの斜視図である。
【図２８ａ】図２８ａは、第２の実施形態の断面図であり、動作シーケンスを説明する図である。
【図２８ｂ】図２８ｂは、第２の実施形態の断面図であり、動作シーケンスを説明する図である。
【図２８ｃ】図２８ｃは、第２の実施形態の断面図であり、動作シーケンスを説明する図である。
【図２８ｄ】図２８ｄは、第２の実施形態の断面図であり、動作シーケンスを説明する図である。
【図２８ｅ】図２８ｅは、第２の実施形態の断面図であり、動作シーケンスを説明する図である。
【図２９】図２９は、本発明の第２の実施形態にかかる自己注射器の組み立てプロセスを説明する模式図である。
【図３０】図３０は、パワーパックがシャーシと係合する際に外部筐体から外れるメカニズムを説明する図である。
【発明を実施するための形態】
【００８８】
図１は、本発明の第１の実施形態にかかる使用前の自己注射器１の斜視図である。この自己注射器は、自己注射器内部の薬物を調べることができるのぞき窓２２を有する外部筐体２０を備える。キャップ３０が設けられて、装置の動作時に針が通る端部を覆い、また不注意による装置の作動を防止する。この自己注射器は、長さが約１０ｃｍと小型で使用者の手に容易になじむ。
【００８９】
図２は、図１の自己注射器１の断面図である。図３は、図２の断面に対して９０度の、図１の自己注射器の第２の断面図である。
【００９０】
図１、図２、図３に示す自己注射器１は、薬物容器アセンブリ（図４ａおよび図４ｂに示す）と、送達音発生メカニズム（図８および図９に示す）の端部を含むパワーパックアセンブリ（図６ａ、図６ｂ、および図７に一部を示す）と、ここではシャーシと呼ぶ内部筐体（図１１に示す）と、スキンセンサー要素（図１０に示す）およびスキンセンサーバネを含むスキンセンサーアセンブリと、下部筐体（図１２に示す）と、外部筐体と、キャップ（図１４に示す）とを備える。
【００９１】
薬物容器アセンブリ１０は、シャーシ１２０内に保持され、動作時にはシャーシ内部を移動する。薬物容器アセンブリ１０は、シャーシのラッチ１２２によって初期位置に保持され、これらは薬物容器の突出部１３と係合してスキンセンサーアセンブリによる薬物容器の解放を防止する。スキンセンサーアセンブリは、スキンセンサー要素１１２と、スキンセンサーバネ１１４とを備える。スキンセンサー要素は、シャーシ１２０のラッチ要素１２４によって保持され、シャーシ１２０とスキンセンサー要素１１２との間に保持されるスキンセンサーバネ１１４によって薬物容器アセンブリ１０から離れる方向に付勢される。下部筐体１４０は、シャーシの窓部１３０を留めることによりシャーシ１２０に係合する。下部筐体の突起１４８は、外部筐体に形成された凹部２４と係合する。キャップ３０は、下部筐体の凹部１４２と係合し、スキンセンサー要素１１２を覆う。
【００９２】
図４ａに、薬物容器アセンブリのみを示す。図４ｂは、図４ａの断面図である。薬物容器アセンブリは、患者に注射して送達することになる薬物を収容する薬物容器１０を備え、この薬物容器は前端部に皮下注射針１２を有している。薬物容器は環状オレフィンで形成されており、環状オレフィンは薬物に対する接触特性が優れている。プラスチック製薬物容器の使用は、ガラスによりも有利な点がいくつかある。プラスチック製容器は、以下の実施形態に関連して説明されるように、自己注射および薬物送達のメカニズムの一部をなす機能部とともに成型することができ、またガラスに比べてはるかに高い精度で形成することができる。また、プラスチック製容器は、より高い衝撃力や圧力に耐えることができるため、自己注射器メカニズム内により強いバネを用いることや、太く短い薬物容器に用いることが可能となる。
【００９３】
プランジャー１４は、薬物容器の内部に設けられている。薬物容器１０でのプランジャー１４の移動により、薬物が針１２を通って外に押し出される。プランジャーは、薬物容器の壁部との摩擦を低くし、プランジャーと薬物容器との間の配置位置を最小限に抑えるよう設計されている。このプランジャーはカップシール式プランジャーであり、プランジャーが薬物容器内を移動する際にプランジャーにかかる薬物の流体圧力の成分が、プランジャーと薬物容器の内表面との間の封止接触面に向うよう構成されている。この種のプランジャーは、ＧＢ２４６７９０４に記載されている。薬物容器の壁部と接触するプランジャー１４の周辺部は、実質的に非エラストマー材料を含む。薬物容器１０の前端部の内表面は、使用中に薬物容器から押し出される薬物の量が最大となるよう、プランジャー１４の前端部の形状に合う形状をしている。
【００９４】
封止ホイル１６は、薬物容器１０の後端部に設けられており、薬物が確実に滅菌および手付かずの状態で保持および維持されるようにする。封止ホイル１６は、薬物容器１０の後端部に溶接または接着されたアルミニウム層を含む積層ホイルであってもよい。
【００９５】
本実施形態において、皮下注射針１２は薬物容器１０の針ハブ部１１に接着される。ただし、薬物容器は針の周囲に成型されてもよい。この針は、針１２を滅菌状態に保つ針シールド５０によって覆われている。図４ｂに示すように、針シールド５０は、針ハブ部１１つきの封止を形成する硬質な外部筐体５２を備える。弾性プラグ５４の形をとる従属要素が、針１２の前端部が挿入される針シールド内に設けられている。弾性プラグは、針を封止し、針シールドを取り外す前に針から薬物が漏れないようにする。針シールドの硬質な外部筐体５２は、自己注射器の組み立て中に針の検査ができるように、透明であってもよい。硬質な外部筐体５２の前端部は、図２ａに示すように、キャップ３０の中のフック３２と係合するよう構成された球状部５６を備える。これにより、キャップ３０が取り外されるときに、針シールドが確実に一緒に取り外されるようになる。
【００９６】
針シールドによる針ハブ１１の封止を、図４ｂの部分拡大図である図５に詳細に示す。針ハブ１１は、針シールドに囲まれた部分では円筒形状をしている。針シールドの剛体５２は、針シールドの内表面に沿って延びる一対のリブ５７，５８を有する。リブは、針ハブ１１に締まりばめされて、針の滅菌状態を維持する封止となる。本実施例では、ハブは、直径が２．４ｍｍであり、表面仕上げの品質は山部と谷部の間の最大距離が２μｍ以下である。針ハブは、環状オレフィン重合体など、成型プラスチック材料から形成されてもよい。針ハブの表面仕上げは、０．２Ｒａに指定される。針ハブは、剛体が連結された円形円筒形状の外表面を有してもよい。剛体の内表面は、表面仕上げが０．２Ｒａ以下となるよう指定される。剛体の内表面は、山部と谷部の間の最大距離が２μｍ以下の表面仕上げであってもよい。リブは、名目上の封止直径が２．２ｍｍである。したがって、針ハブ１１と針シールド５０との間には、０．２ｍｍの名目上の直径干渉がある。
【００９７】
針シールドの剛体は、ポリエチレン製であり、針ハブと同じ表面仕上げが施されている。リブ５７，５８は、互いに３ｍｍ離間している。最小の力でリブと針ハブの間の接触圧力を最大にするために、すなわち最小の取り外し力で最大の密封性を得るために、リブと針ハブの間の接触領域をできるだけ小さくする必要がある。しかしながら、この接触領域には、針シールドの製造プロセスおよび用いられる材料による限界がある。本実施例では、剛体を針ハブに嵌める前の接点における各リブの曲率半径は、０．６ｍｍ未満であることが好ましい。各リブの接点は、当該リブの表面上の、剛体が針ハブに嵌まるときに最初に針ハブに接触するよう構成された点である。しかしながら、最終的な接触半径は、特に干渉によってプラスチックが変形するならば、これよりも大きくてもよい。
【００９８】
また、図１〜図３に示す自己注射器は、針を注射部位に挿入し、薬物を針から注射部位へ放出する自動メカニズムを備える。本明細書では、この自動メカニズムをパワーパックアセンブリと呼ぶ。パワーパックアセンブリは、圧縮バネ６１，６２の形をとる蓄積エネルギー源を備える。挿入バネと呼ばれる第１のバネ６１が解放されると、このバネにより薬物容器１０が自己注射器の筐体内を移動して針１２を注射部位に挿入する。その後、送達バネと呼ばれる第２のバネ６２が解放されると、プランジャー１４が薬物容器１０内を移動して薬物を注射する。バネ６１，６２およびパワーパックアセンブリ内でバネを解放するシーケンスを制御するメカニズムは、薬物容器の後方に位置している。
【００９９】
パワーパックは、薬物容器１０に連結されたパワーパック筐体６４を備える。本実施形態のパワーパック筐体は、下部パワーパック筐体６５と上部パワーパック筐体６６という、２つの部分を含む。パワーパック筐体は、自己注射器の組み立てが簡単になるように２つの部分に分かれているが、使用時には、これら２つの部分は互いに固定されて単一の要素として作用する。下部パワーパック筐体６５は薬物容器１０に留められている。下部パワーパック筐体６５は、薬物容器の凹部１７に係合する。図２および図３では自己注射器の使用前の圧縮状態で図示される挿入バネ６１は、上部パワーパック筐体６６と保持手段１００との間に位置している。保持手段１００は、上部パワーパック筐体６６に連結されて、図７を参照して説明するように挿入バネ６１を第１の圧縮状態に維持する。
【０１００】
送達バネ６２は、上部パワーパック筐体６６と複数要素駆動部材７０との間に位置する。以下に詳述するように、送達バネ６２は、解放されると、パワーパック筐体６４に対して前方に駆動部材７０を駆動し、プランジャー１４を薬物容器１０内で駆動して薬物を放出する。
【０１０１】
自己注射器の使用前は、送達バネ６２は挿入バネ６１の周りに位置している。このように入れ子になった二重バネメカニズムには、利点がある。まず、一方のバネを他方に入れ子にすることにより、自己注射器の長さを最小限にすることができる。次に、送達バネを挿入バネよりも大きくすることができる。薬物を針から放出するために必要な力は、通常、針を注射部位に挿入するために必要な力よりもずっと大きい。したがって、針挿入に小さいバネを用いることは有益である。
【０１０２】
図６ａおよび図６ｂに、パワーパックアセンブリの後端部を詳細に示す。図６ａは、パワーパックアセンブリの第１の断面であり、上部パワーパック筐体６６に形成された第１の突起６７に配置された挿入バネを示す。図６ｂは、図６ａの断面から９０度でのパワーパックアセンブリの第２の断面であり、上部パワーパック筐体に形成された第２の突起６９により保持される駆動部材７０を示す。
【０１０３】
パワーパックアセンブリは、薬物容器および自己注射器の残りの部分に連結される前に、独立した要素として組み立てられる。挿入バネおよび送達バネを圧縮状態に保持するために、パワーパック筐体は保持手段１００と係合する。この保持手段は、頭部１０６と、パワーパック筐体６４および駆動部材７０の内部で頭部から延びる軸部１０８とを備える。軸部１０８は、駆動部材７０、特に第２の駆動要素８０の突起部８６が、駆動部材から軸部１０８が取り除かれるまではパワーパック筐体の突起６９から外れないようにする。
【０１０４】
図７は、パワーパックアセンブリの部分斜視上面図であり、上部パワーパック筐体６６に係合した保持手段１００を示す。挿入バネ６１は、保持手段１００とは反対方向にパワーパック筐体を付勢するが、上部パワーパック筐体に形成された棚部６８の下方にある保持手段の表面１０２との係合によって保持される。パワーパック筐体は、パワーパック筐体と保持手段とを相対的に回転させることにより保持手段１００から解放される。特に、保持手段には、カム面１０４が形成されており、このカム面は、パワーパックアセンブリが外部筐体に挿入されると、カム面、または外部筐体内の突出部２５が保持手段のカム面に係合して保持手段を回転させる。パワーパック筐体は、パワーパック筐体がシャーシに、またシャーシが外部筐体に係合することによっては外部筐体に対して回転しないようになっている。保持手段１００の回転により、表面１０２が棚部６８と係合した状態から外されて、パワーパック筐体が保持手段から外れる。
【０１０５】
パワーパック筐体が保持手段１００から解放されると、外部筐体２０と下部筐体１４０との係合、下部筐体１４０とシャーシ１２０との係合、シャーシ１２０と薬物容器１０との係合、および薬物容器１０とパワーパック筐体６４との係合により、完全に拡張しないようにされる。外部筐体２０は、保持手段を回転することによって保持手段１００がパワーパック筐体から外れるよう駆動されると下部筐体１４０と係合するよう構成される。
【０１０６】
上述のように、挿入バネ６１は、拡張の際に、上部パワーパック筐体６６の突起６７と係合して、パワーパック筐体および薬物容器アセンブリをシャーシ内で前方に駆動する。駆動バネ６２は、パワーパック筐体６４および駆動部材７０と係合して、駆動部材およびプランジャーを薬物容器内で駆動する。駆動部材７０は、３つの要素を含む。具体的には、駆動バネは、第１の駆動要素７１のバネベアリング面７２と係合する。第１の駆動要素７１は、第２の駆動要素８０と第３の駆動要素９０とに連結される。図８および図９に、複数要素駆動部材７０を示す。
【０１０７】
図８に、薬物容器から薬物が送達される前の初期構成の駆動部材７０を示す。第１の駆動要素７１は、基本的に円形円筒形状の管であり、その内部に第２の駆動要素８０が配置される。第１の駆動要素の第１の衝撃面７５は、第１の駆動要素と第２の駆動要素の第１の衝撃面から第１の駆動要素へ向かって延びる歯部８４との係合により、第２の駆動要素の第１の衝撃面８５から離間して保持される。第２の駆動要素は、薬物容器１０の封止ホイル１６に接触して貫通するよう構成されるホイル接触面８２を備える。ホイル接触面８２は、ホイルシールの貫通を支援する複数の鋸歯を備える。第２の駆動要素８０は、第１の衝撃面８５から第１の駆動要素の内部を延びる。
【０１０８】
第２の駆動要素は、成型プラスチック材料から形成され、その後端部が一対の柔軟な脚部８７に分かれており、各脚部の後端部にパワーパック筐体と係合する突起部８６が形成されている。脚部の間には穴部８８が規定されており、この中に保持手段の軸部１０８が入る。保持手段の軸部は、脚部８７が内側に屈折して上部パワーパック筐体の突起６９から外れることを防止する。
【０１０９】
第１の駆動要素７１は、第１の駆動要素の第１の衝撃面７５が第２の駆動要素の第１の衝撃面８５に接触するように、第２の駆動要素の歯部８４に嵌る寸法の切り欠け部７３を備える。歯部８４が切り欠け部７３に嵌るように、第１の駆動要素は第２の駆動要素に対して回転しなければならない。しかしながら、初期位置では、第３の駆動要素９０によって回転できないようになっている。第３の駆動要素９０は、初期位置では第１の駆動要素および第２の駆動要素の双方と係合している。本実施形態における第３の駆動要素は、概ね管状で、第１の駆動要素と第２の駆動要素との間に位置している。第３の駆動要素の突出部９２は、第１の駆動要素に形成されたスロット７４に係合して、第１の駆動要素と第３の駆動要素とが相対的に回転しないようにする。このスロットは、軸方向の運動、すなわち、第１の駆動要素と第３の駆動要素との間において駆動バネの伸長で駆動部材が移動する方向への運動が可能となる寸法となっている。第３の駆動要素の切り欠け部９４は、第２の駆動要素の歯部８４と係合して、第２の駆動要素と第３の駆動要素とが相対的に回転しないようにする。しかしながら、第３の駆動要素は、第２の駆動要素に対して軸方向に自由に動くことができる。
【０１１０】
駆動部材が薬物容器内でその前方移動の終点に到達すると、第３の駆動要素の突出部９２が薬物容器１０の背面に係合する。駆動バネ６２の影響で第１および第２の駆動要素が前方に動き続けるため、第３の駆動要素はこのように薬物容器に保持されている。この第３の駆動要素と第２の駆動要素との相対的な軸方向の運動の結果、第３の駆動要素の切り欠け部９４が歯部８４からはずれると、第１の駆動要素７１は第２の駆動要素８０に対して自由に回転するようになる。歯部８４は、第１の駆動要素７１の駆動バネの作用で歯部が第２の駆動要素に対して回転するよう、角度のついた面７６の第１の駆動要素に係合する。歯部８４が自由に切り欠け部７３に嵌るようになると、前方への運動に対するそれほど大きな抵抗がなくなるため、第１の駆動要素は第２の駆動要素に対して急速に前方に移動する。そして、第１の駆動要素の第１の衝撃面が高速で第２の駆動要素の第１の衝撃面に衝突し、駆動部材が移動の終点に到達したことを示す音による信号を生み出す。図９に、最終位置を示す。
【０１１１】
この「送達終了」指示の動作の原理は、２つの部分を有する駆動部材を用いることであり、２つの部分は駆動部材の移動の終点まで、または、その近くまで一緒に移動し、ここで蓄積エネルギー源の作用で互いに相対的に自由に運動して音による信号を生み出す。薬物容器で駆動部材を駆動するために用いられるものと同じエネルギー源を用いることが有利である。しかしながら、駆動部材の２つの部分をロック・解放するメカニズムにはいくつかの選択肢があることは明らかであり、図８および図９の実施形態においては第３の駆動部材を用いて実現されている。例えば、このパワーパック筐体内の機能部は、第１の駆動要素がパワーパック筐体内の特定の位置に到達したときに第１の駆動要素を第２の駆動要素に対して回転させるために設けられてもよい。
【０１１２】
スキンセンサーアセンブリは、薬物容器の前方に設けられており、使用の前後に針を覆い、またキャップを取り外して注射部位に自己注射器を押し付けるだけで作動できるようにするものである。
【０１１３】
スキンセンサーアセンブリは、図１０に示すスキンセンサー要素１１２と、スキンセンサー要素とシャーシとの間に保持されるスキンセンサーバネ１１４とを備える。これは、図３から明らかである。動作時には、このスキンセンサー要素は、図１１のシャーシ１２０および図１２の下部筐体１４０と相互作用する。
【０１１４】
図１１は、シャーシ１２０の斜視図である。シャーシは、透明なプラスチック材料から形成されており、外部筐体２０に形成された窓２２に合った２つの窓部１２０を含む。下部筐体１４０は、図１３ａに示すように、窓部１３０の周りのシャーシを挟んで留める。ラッチ１２２は、外側に屈曲して薬物容器１０から外れることができるよう形成されている。シャーシは、直径が小さくなった前端部１３２を有し、この前端部は薬物容器が挿入位置を超えて移動することを防止する。ベアリング面１３３が設けられ、これに対向してスキンセンサーバネ１１４が配置される。
【０１１５】
また、シャーシ１２０は、窓部１３０の下方に形成された柔軟性のあるアーム部１２１を有する。柔軟性のあるアーム部１２１は、それぞれ、その自由端にスキンセンサー要素１１２の後端部に当接する球状部１２３を備える。球状部１２３は（キャップおよび／または上部筐体と組み合わせて）、図１５を参照して説明したように、ラッチ１２２が薬物容器１０を解放する位置までスキンセンサー要素が後ろ方向に移動することを防止する。
【０１１６】
また、シャーシはラッチ要素１２４を含む。ラッチ要素１２４は、それぞれ、シャーシ本体から本装置の前端部へと延びる柔軟性のあるアーム部１２５と、柔軟性のあるアーム部の端部に設けられたフック１２６およびカムヘッド１２８とを備える。フック１２６は、スキンセンサー要素１１２と係合するよう構成されている。カムヘッド１２８は、フックの内側に位置し、パワーパック筐体６４と係合するよう構成されている。ここで、内側とは、外部筐体に対しての内側を指す。シャーシのラッチ要素１２４は、パワーパックまたはスキンセンサー要素と係合するため、シャーシの取り囲む部分より内側には延びない。これは、成型の点から好都合である。
【０１１７】
図１２は、下部筐体１４０の斜視図である。下部筐体は、シャーシの窓部１３０の周囲の部分１４６を挟み込むことによりシャーシに固定されている。下部筐体１４０は、初期位置ではスキンセンサー要素１１２の開口部１１５に入る一対の第２のラッチ要素１４４を含む。下部筐体は、キャップ３０と係合するための凹部１４２を含む。表面１４５は、後述するように、スキンセンサーが完全に延びた位置以上に移動することを制限するよう作用する。また、下部筐体は、シャーシの柔軟性のあるアーム部１２１が入るスロット１４１を含む。下部筐体の突起１４８は、外部筐体に形成された凹部２４と係合する。
【０１１８】
使用前の初期位置においては、図２および図３に示すように、スキンセンサー要素１１２はスキンセンサーバネ１１４によってシャーシと反対方向に付勢されている。表面１１６とラッチ要素１２４との係合によってシャーシに保持されている。下部筐体の第２のラッチ要素１４４は、初期位置において、スキンセンサー要素１１２の開口部１１５に入っている。
【０１１９】
図１３ａ〜図１３ｄは、スキンセンサーアセンブリの動作シーケンスを示す図であり、外部筐体とキャップとが取り外された本装置の側面図である。図１３ａは、キャップが取り外されているが、使用前の本装置を示す。スキンセンサー要素１１２は、ラッチ要素１２４によりスキンセンサーバネの作用に対抗して保持されている。具体的には、ラッチ要素１２４のフック１２６は、スキンセンサー要素の表面１１４と係合している。
【０１２０】
図１３ｂは、スキンセンサー要素が注射部位に押し付けられた場合になるように、押し戻されたスキンセンサー要素１１２を示す。この位置では、フック１２６は表面１１６から離れている。第２のラッチ要素１４４は、まだスキンセンサー要素の開口部１１５に入っている。しかしながら、ここでは、開口部１１５のより広い部分がシャーシのラッチ１２２の位置に合わさっている。図１３ｂに示す位置において、ラッチ１２２は、スキンセンサー要素の開口部１１５に押し出されるため、もはや薬物容器１０を保持していない。したがって、薬物容器は前方に自由に移動することができ、図１３ｃに示すように、挿入バネ６１が拡張してパワーパックアセンブリと薬物容器を挿入位置に移動させる。
【０１２１】
図１３ｃでは、薬物容器は挿入位置にあり、針１２は、はっきりとスキンセンサー要素１１２を超えて延びている。この位置において、図２ではその上端部のみが示されているパワーパック筐体６４の突出部６３がカムヘッド１２８に押し付けられてアーム１２４を変形させるように、パワーパックアセンブリが前方に移動している。アーム１２４の変形により、表面１１６が前方に移動する際の経路からフック１２６が外れる。
【０１２２】
装置が注射部位から取り外されると、スキンセンサーバネはスキンセンサー要素を前方に付勢する。アームが変形しているので、表面１１６はフック１２６を超えて移動することができる。そこで、スキンセンサー要素は、図１３ｄに示すように完全に延びた位置まで移動することができる。この位置で、スキンセンサー要素は再び針を覆う。スキンセンサー要素は、シャーシに保持されて、下部筐体の表面１４５に当接するスキンセンサー要素の表面１１７によって、さらに前方に移動しないようにされる。第２のラッチ要素１４４は、スキンセンサー要素１１２の開口１１８に係合して、スキンセンサー要素がスキンセンサーバネで後退しないようにする。第２のラッチ要素は、完全に延びた位置に移動すると、スキンセンサー要素の傾きのある表面１１９に乗り上げて開口１１８にはまり込むことができ、ここでスキンセンサー要素は完全に延びた位置にロックされる。
【０１２３】
薬物容器を保持解放するスキンセンサーのラッチメカニズムは、全て装置の対向する両側に配置される。これにより、装置の動作中に窓２２が暗くならないようにすることができる。これにより、使用前に薬物を簡単に点検することができ、薬物送達の進行を窓２２から観察することができる。
【０１２４】
図１〜図１３に示す装置は、キャップが取り外される前の作動を防止するメカニズムを含む。図１４は、キャップ３０の斜視図である。キャップは、成型プラスチック材料で形成されており、図２に示すように下部本体の凹部１４２と係合するよう構成された突出部３４を備える。直立した中央管は、図２に示す針シールドを保持するフック３２を備える。また、キャップは、図３に示すように、キャップが装置に嵌ると外部筐体とシャーシとの間の空間に延びる舌部３６を含む。
【０１２５】
図１５は、図３に示す装置の前端部の詳細図である。キャップの舌部３６は、シャーシに形成された柔軟性のあるアーム部１２１に隣接していることがわかり、図１１によりはっきりと図示されている。柔軟性のあるアーム部１２１は、スキンセンサー要素１１２の後端部に当接する球状部１２３を備える。球状部１２３は、ラッチ１２２が薬物容器１０を解放可能となる位置にスキンセンサー要素が後退しないようにする。そのため、キャップが下部筐体１４０に係合していると、本装置を作動させることができない。
【０１２６】
キャップが取り外されると、アーム１２１はスキンセンサー要素によって外側に押し出されて、スキンセンサーが後退する際に舌部３６が開けた空間に押し込まれる。スキンセンサー要素および球状部１２３は、これがスムーズに行われるような形状をしている。下部筐体は、中にアーム１２３が屈折させられる開口１４１を含む。
【０１２７】
図１６ａ〜図１６ｇは、第１の実施形態の装置の動作シーケンスを示す。図１６ａ〜図１６ｇは、図２に類似であるがキャップが取り外された状態の断面図である。
【０１２８】
図１６ａは、キャップを取り外した直後でスキンセンサー要素を注射部位に押し付ける前の装置を示す。針シールドアセンブリが、キャップと一緒に取り外されていることがわかる。
【０１２９】
図１６ｂは、スキンセンサー要素が押し戻された状態の装置を示す。下部筐体の第２のラッチ要素１４４は、スキンセンサーのさらに後方への移動を防止している。この位置では、シャーシのラッチ１２２は窓１１５の中に自由に屈曲できるが、屈曲していない。
【０１３０】
図１６ｃは、挿入バネ６１の伸長によって挿入位置に移動させられた薬物容器１０とパワーパック筐体６４とを示す。この位置では、針１２が注射部位に挿入されている。第２の駆動要素８０は、保持手段１００の軸部１０８から離れている。これは、脚部８７を押し付け合って、突起８６をパワーパック筐体６４の表面６９から外すことができることを意味する。パワーパック筐体の突出部６３は、注射部位から取り外されるとスキンセンサー要素１１２が完全に延びた位置まで前方に自由に移動できるように、ラッチアーム１２４を屈折させている。
【０１３１】
図１６ｄは、パワーパック筐体から外れた状態の、駆動部材の第１の接点に封止ホイルを有する駆動部材を示す。駆動バネは、拡張して駆動部材を前方に付勢する。
【０１３２】
図１６ｅに、さらに拡張した駆動バネと、さらに前に出た駆動部材とを示す。ホイルは破れており、プランジャーが薬物容器を移動してほとんどすべての薬物が放出されている。この時点では、第３の駆動要素は、薬物容器の後端部と係合し、第２の駆動要素に対して後退している。この位置において、駆動要素はもはや第２の駆動要素と係合しておらず、図８および図９を参照して説明したように、第２の駆動要素は第１の駆動要素に対して回転することができる。
【０１３３】
図１６ｆは、前方の第２の駆動要素の方に駆動された第１の駆動要素を示し、第２の駆動要素が回転して薬物送達終了が音で示された状態を示している。プランジャーは、完全に前方位置にあり、意図された体積の薬物が放出されている。この時点では、ユーザは注射部位から装置を外すことができる。
【０１３４】
図１６ｇは、注射部位から取り外された後の装置を示し、スキンセンサー要素が完全に延びた位置でロックされ針を覆っている状態を示している。図１３ｄを参照して説明したように、スキンセンサー要素は、シャーシに保持されて、下部筐体の表面１４５に当接するスキンセンサー要素の表面１１７によって、さらに前方に移動しないようにされる。第２のラッチ要素１４４は、スキンセンサー要素１１２の開口１１８に係合して、スキンセンサー要素がスキンセンサーバネで後退しないようにする。
【０１３５】
図２および図１６ａ〜図１６ｃから、本装置の駆動部材７０およびそのほかすべての要素が、封止ホイルが破れるときまで封止ホイル１６から離れて保持される。使用前、駆動部材７０は、封止ホイル１６から所定の距離で保持される。パワーパック筐体６４は薬物容器の両側に固定されて、封止ホイルには接触しない。動作の針挿入段階の間、封止ホイル１６には触れられることがない。このような配置により、薬物容器が自己注射器の残りの部分に組み付けられる前に封止ホイルの試験を確実に行うことができ、その後封止ホイルは薬物送達まで触れられないことになる。これにより、送達前に薬物が汚染されるまたは損失する可能性が低減される。
【０１３６】
図１７は、第１の実施形態の自己注射器の組み立てシーケンスを示す模式図である。ステップ１５０において、針１２および針シールド５０を含む薬物容器アセンブリ１０に一回分の薬物とプランジャー１４とが充填され、その後、封止ホイル１６によって封止される。これは滅菌環境において行われる。これとは別に、ステップ１５２において、パワーパックアセンブリが駆動バネおよび挿入バネを圧縮状態で保持する保持手段に組みつけられる。ステップ１５４において、充填された薬物容器アセンブリがパワーパックアセンブリに嵌められ、下部パワーパック筐体が薬物容器１０を挟み込む。ステップ１５６において、シャーシ、スキンセンサー要素、スキンセンサーバネ、および下部筐体を含む装置の前端部が組み立てられる。通常、キャップは、この段階で前端部アセンブリに連結されるが、これは独立したステップ１５７として示される。ステップ１５８において、前端部アセンブリは、薬物容器アセンブリおよびパワーパックアセンブリに連結される。薬物容器アセンブリは、シャーシのラッチアームにより保持される。ステップ１６０において、外部筐体がパワーパックアセンブリの上に配置され下部筐体１４０と係合する。外部筐体２０のカム面２５は、下部筐体の突起１４８が外部筐体に形成された凹部２４と係合する直前に、保持手段１００と係合して、保持手段を回転させてパワーパック筐体６４との係合状態をはずす。挿入バネ６１は、パワーパック筐体が保持手段から外れると少し拡張することができるようになるが、薬物容器１０に係合するシャーシのラッチ１２２の作用により第２の圧縮状態で保持される。第２の圧縮状態においても、挿入バネは、薬物容器を挿入位置に押し付けることにより、針１２の注射部位への挿入に十分なエネルギーを蓄積している。
【０１３７】
キャップ３０は、通常、前端部アセンブリの組み立て中に下部筐体１４０に組み付けられるが、パワーパックと前部アセンブリとが組み合わされた後、または外部筐体が下部筐体に嵌った後に追加されてもよい。図１７のステップ１５７に、これらの選択肢を示す。
【０１３８】
ステップ１６２において、自己注射器は完全に組み立てられて使用の準備ができる。この製造シーケンスは、パワーパックアセンブリを他の要素から独立して製造可能であり、個別に輸送および保管することができるという利点がある。ステップ１５６，１５７，１５８，１６０は、非常に単純かつ簡単に自動化される。
【０１３９】
上記の第１の実施形態は、さらに、同じパワーパックアセンブリで、様々な薬物用の長さと形状が異なる外部筐体を使用することができるという利点を有する。保持手段を回転させてパワーパック筐体６４から外す機能部２５の製造には、保持手段の軸部１０８に要求されるものと同じ厳しい寸法上の許容誤差が必要とされない。したがって、特定の薬物用に独特な外見をもつ装置、または特定のブランドに関連付けられた装置を用意するために様々な外部筐体を提供することは簡単なことである。これにより、ユーザは自分が適切な装置を持っているかどうかを素早く認識することができる。また、例えば手先の器用さが制限されているなどといった、様々な特定の必要性をもつ様々なユーザグループに対応するために様々な外部筐体を提供することができる。
【０１４０】
図１８は、本発明の第２の実施形態にかかる使用前の自己注射器２０１の斜視図である。自己注射器２０１は、自己注射器内部の薬物を調べることができるのぞき窓２２２を有する外部筐体２２０を備える。キャップ２３０が設けられて、装置の針挿入端部を覆い、また不注意による装置の作動を防止する。この自己注射器は、長さが約１０ｃｍと小型で使用者の手に容易になじむ。
【０１４１】
図１９は、図１９の自己注射器２０１の断面図である。図２０は、図１９の断面に対して９０度の、図１９の自己注射器の第２の断面図である。
【０１４２】
図１８、図１９、図２０に示す自己注射器２０１は、薬物容器アセンブリ（図２１に示す）と、パワーパック筐体２６４（図２７に示す）と駆動部材２７０と挿入および駆動バネ２６０，２６２とを含むパワーパックアセンブリと、ここではシャーシと呼ぶ内部筐体（図２３に示す）と、スキンセンサー要素（図２２に示す）およびスキンセンサーバネを含むスキンセンサーアセンブリと、下部筐体（図２６に示す）と、外部筐体と、キャップ（図２５に示す）とを備える。
【０１４３】
薬物容器アセンブリ２１０は、シャーシ３２０内に保持され、動作時にはシャーシ内部を移動する。薬物容器アセンブリ２１０は、シャーシのラッチ３２２によって初期位置に保持され、これらは薬物容器２１１を取り囲むクレードル２１５の突出部２１３と係合する。ラッチ３２２は、スキンセンサーアセンブリによりクレードルを解放しないようになっている。スキンセンサーアセンブリは、スキンセンサー要素３１２と、スキンセンサーバネ３１４とを備える。スキンセンサー要素は、シャーシ３２０のラッチ要素３２４によって保持され、シャーシ３２０とスキンセンサー要素３１２との間に保持されるスキンセンサーバネ３１４によって薬物容器アセンブリ２１０から離れる方向に付勢される。下部筐体３４０は、シャーシのＴ字型突出部３２８を留めることによりシャーシ３２０に係合する。下部筐体の窓部３４８は、外部筐体に形成された窓２２２と係合する。キャップ２３０は、下部筐体の流路３４２と係合し、スキンセンサー要素３１２を覆う。
【０１４４】
図２１は、図１９および図２０に示す薬物容器アセンブリの斜視図である。薬物容器アセンブリは、薬物容器２１１と内部に薬物容器２１１を保持するクレードル要素とを備える。クレードルと薬物容器とは、別々の要素として形成されてもいいし、一体的に成型されてもよい。薬物容器２１１は、注射して患者に送達されることになる薬物を収容し、前端部には皮下注射針２１２が固定されている。第１の実施形態と同様に、薬物容器は、薬物に対する優れた接触特性を備える環状オレフィンで形成されている。クレードルはまた別の材料で形成されてもよく、好都合には成型用プラスチックで形成される。挟み込み機能部２１３および２１９が、クレードル２１５に形成される。
【０１４５】
プランジャー２１４は、薬物容器の内部に設けられている。薬物容器２１１でのプランジャー２１４の移動により、薬物が針２１２を通って外に押し出される。このプランジャーは、第１の実施形態で説明したものと同種のものであり、薬物容器の壁部との摩擦を低くし、プランジャーと薬物容器との間の静摩擦を最小限に抑えるよう設計されている。ここでも、薬物容器２１１の前端部の内表面は、使用中に薬物容器から押し出される薬物の量が最大となるよう、プランジャー２１４の前端部の形状に合う形状をしている。
【０１４６】
封止ホイル２１６は、薬物容器２１１の後端部に設けられており、薬物が確実に滅菌および手付かずの状態で保持および維持されるようにする。封止ホイル２１６は、薬物容器２１１の後端部に溶接されたアルミニウム層を含む積層ホイルであってもよい。
【０１４７】
第１の実施形態と同様に、皮下注射針２１２は薬物容器２１１の針ハブ部２１７に接着される。ただし、薬物容器は針の周囲に成型されてもよい。この針は、針２１２を滅菌状態に保つ針シールド２５０によって覆われている。第１の実施形態で説明したように、針シールド２５０は、針ハブ部２１７つきの封止を形成する硬質な外部筐体２５２を備える。弾性プラグ２５４が、針２１２の前端部が挿入される針シールド内に設けられている。弾性プラグは、針を封止し、針シールドを取り外す前に針から薬物が漏れないようにする。針シールドの硬質な外部筐体２５２は、自己注射器の組み立て中に針の検査ができるように、透明であってもよい。針シールド外部筐体２５２の前端部は、図１９に示すように、キャップ２３０の中のフック２３２と係合するよう構成された球状部２５６を備える。これにより、キャップ２３０が取り外されるときに、針シールドが確実に一緒に取り外されるようになる。
【０１４８】
針シールドによる針ハブの封止は、第１の実施形態で説明し図５に図示したものと同じやりかたで、締まりばめを用いて実現される。
【０１４９】
第１の実施形態と同様に、図１８〜図２０に示す自己注射器は、針を注射部位に挿入し、薬物を針から注射部位へ放出する自動メカニズムを備える。本明細書では、この自動メカニズムをパワーパックアセンブリと呼ぶ。パワーパックアセンブリは、圧縮バネ２６０，２６２の形をとる蓄積エネルギー源を備える。挿入バネと呼ばれる第１のバネ２６０が解放されると、このバネにより薬物容器アセンブリ２１０が自己注射器の筐体内を移動して針２１２を注射部位に挿入する。その後、送達バネと呼ばれる第２のバネ２６２が解放されると、プランジャー２１４が薬物容器２１１内を移動して薬物を注射する。バネ２６０，２６２およびパワーパックアセンブリ内でバネを解放するシーケンスを制御するメカニズムは、薬物容器アセンブリの後方に位置している。
【０１５０】
パワーパックは、図２２に示す、薬物容器アセンブリ２１０に連結されたパワーパック筐体２６４を備える。パワーパック筐体２６４は、クレードル２１５の機能部２１９を挟むアーム２６５を有する。図１９および図２０では自己注射器の使用前の圧縮状態で図示される挿入バネ２６０は、パワーパック筐体２６４と外部筐体２２０との間に位置している。後述するように、薬物容器アセンブリがシャーシのラッチ３２２から解放されると、薬物容器アセンブリは挿入バネ２６０が伸長することで押されて、シャーシ内を前方の挿入位置に自由に移動するようになる。
【０１５１】
駆動バネ２６２は、パワーパック筐体２６４と駆動部材２７０との間に位置している。初期位置において、駆動部材２７０の突出部２７２がパワーパック筐体の表面２６７に係合することにより、駆動バネの拡張が防止されている。
【０１５２】
後述するように、駆動部材２７０は、封止ホイル２１６を破る補助をし、使用時にはプランジャーと係合する鋸歯を有する前端部表面２７６を備える。また、駆動部材２７０は、突出部２７２がパワーパック筐体と係合してロック面２２６から外れないように、主筐体２０の一部である（または固く固定された）ロック面２２６により外側に向って押される弾性脚部２７４を有する。このように、駆動バネ２６２は圧縮状態でロックされて、突出部２７２が表面２６７から解放されるまでパワーパック筐体２６４とともに移動する。
【０１５３】
パワーパック筐体が挿入位置まで移動するとき、駆動部材はロック面２２６を超えて移動している。この時点では、ロック面がもはや脚部２７４の間にはないため、脚部２７４が押し付け合って駆動部材がパワーパック筐体の表面２６７から外れることができるようになる。そして、駆動部材は、駆動バネ２６２によって前方に移動し、封止ホイル２１６を破り薬物容器２１１の中のプランジャー２１４を押して、針２１２を介して薬物を出す。
【０１５４】
第１の実施形態と同様に、第２の実施形態において、スキンセンサーアセンブリは、薬物容器の前方に設けられており、使用の前後に針を覆い、またキャップを取り外して注射部位に自己注射器を押し付けるだけで作動できるようにするものである。
【０１５５】
スキンセンサーアセンブリは、スキンセンサー要素３１２と、スキンセンサーバネ３１４とを備える。スキンセンサーバネ３１４は、スキンセンサー要素とシャーシとの間に保持される。これは、図１９から明らかである。動作時には、このスキンセンサー要素は、シャーシ３２０と相互作用する。
【０１５６】
図２３は、第２の実施形態のスキンセンサー要素の斜視図である。スキンセンサー要素は、使用時に注射部位に接触し、針の挿入中にその針を通す開口を有する前表面３１３を備える。開口３１５は、スキンセンサー要素が後退位置にあるときはシャーシのラッチ３２２と揃うように設けられ、ラッチが外側に向って屈折して機能部２１３から外れるようにし、薬物容器を解放する。フック３１６は、初期位置においてシャーシと係合するよう設けられ、スキンセンサーバネにより加えられた力に対してスキンセンサー要素を保持する。表面３１７は、シャーシが当接するよう設けられ、スキンセンサー要素が完全に延びた位置におかれたときにシャーシが後退することを防止する。支えアーム３１８により、機械的剛性が得られる。
【０１５７】
図２４は、第２の実施形態のシャーシの斜視図である。シャーシは、プラスチック材料から形成されている。また、シャーシは、基本的に管状であり、薬物容器アセンブリが軸方向に運動することができる中央穴部を有する。シャーシは、直径が小さくなった前端部３３２を有し、薬物容器アセンブリはこの前端部を超えて移動することができない。シャーシは、前端部に、径方向内側に延びるカンチレバーアーム３３４を含む。薬物容器アセンブリは、カンチレバーアームに接触して、挿入位置へ移動する際にこれを本明細書では軸方向とも呼ぶ挿入方向に屈折させる。カンチレバーアームの屈折により、挿入位置に到達すると薬物容器アセンブリは減速し、シャーシからスキンセンサーバネとスキンセンサーとを介して注射部位に加えられる力が低減される。カンチレバーアーム３３４は、シャーシの前端部の残りの部分と同じ高さになる前に屈折させるために、その固定端から自由端に向けて後方に延びるよう構成される。
【０１５８】
シャーシは、スキンセンサー要素のフック３１６に係合するラッチ要素３２４を備える。ラッチ要素３２４は、その固定端から後方に軸方向からオフセットした角度で延びる弾力性のあるアームである。ラッチ要素は、パワーパックアセンブリのカム機能部２６９により屈折して、スキンセンサーが伸長位置に移動するとフック３１６が通過することができるようにする。シャーシは、その固定端から前方に向って延びる弾力性のあるアームであるロックアーム３２６を備える。ロックアームは、屈折してスキンセンサーが後退位置から伸長位置まで移動するとスキンセンサー要素が通過することができるようにするが、スキンセンサーが完全に延びた位置へ到達すると表面３１７がロックアーム３２６を後方に超えないよう構成される。
【０１５９】
図２５ａ〜図２５ｃは、スキンセンサーアセンブリの動作シーケンスを示す図であり、外部筐体とキャップとが取り外された本装置の側面図である。図２５は、使用前の本装置を示す。スキンセンサー要素３１２は、ラッチ要素３２４によりスキンセンサーバネの作用に対抗して保持されている。具体的には、スキンセンサー要素のフック３１６は、ラッチ要素３２４と係合している。
【０１６０】
図２５ｂは、スキンセンサー要素が注射部位に押し付けられてパワーパックが前方に移動する場合になるように、押し戻されたスキンセンサー要素３１２を示す。この位置では、フック３１６は、表面ラッチ要素３２４から離れている。ここで、開口３１５は、シャーシのラッチ３２２の位置に合わさっている。図２５ｂに示す位置において、ラッチ３２２は、スキンセンサー要素の開口３１５に押し出されるため、もはや薬物容器アセンブリ２１０を保持していない。したがって、薬物容器３１１は前方に移動しており、挿入バネ２６１が拡張してパワーパックアセンブリと薬物容器を挿入位置に移動させる。
【０１６１】
パワーパックアセンブリが前方に移動して挿入位置に到達するため、カムリッジ２６９はラッチ要素３２４に係合して、図に示すように軸方向に延びるように、ラッチ要素を屈折させる。
【０１６２】
装置が注射部位から取り外されると、スキンセンサーバネ３１４はスキンセンサー要素３１２を前方に付勢する。ラッチアーム３２４が屈折しているので、スキンセンサー要素が前方に移動すると、フック３１６がラッチ要素３２４を通すことができる。そこで、スキンセンサー要素３１２は、図２５ｃに示すように完全に延びた位置まで移動することができる。この位置で、スキンセンサー要素は再び針を覆う。スキンセンサー要素は、シャーシに保持されて、支えアーム３１８が下部筐体３４０（図２５ｃには図示せず）の一部に係合することにより、さらに前方に移動しないようにされる。ロックアーム３２６は、屈折してスキンセンサーが後退位置から伸長位置まで移動するとスキンセンサー要素が通過することができるようにするが、スキンセンサー要素が後退位置に押し戻されてスキンセンサー要素が伸長位置にロックされると、表面３１７はロックアーム３２６に係合する。
【０１６３】
図２６は、第２の実施形態の下部筐体の斜視図である。下部筐体３４０は、透明プラスチック材料から形成され、窓部３４８を含む。下部筐体は、スキンセンサーおよびシャーシの上に嵌るが、部分的に外部筐体の内部に配される。窓部３４８は、外部筐体に形成された窓２２２と係合する盛り上がった外枠を有している。下部筐体３４０は、シャーシのＴ字型突出部３２８が入る開口３４４により、シャーシ３２０と係合する。下部筐体には、流路３４２が設けられてキャップ３３０と係合する。
【０１６４】
図２７は、第２の実施形態のキャップの斜視図である。キャップ２３０は、図１９に示す、角度をつけて離間し、押し込んで針シールド２５０の球状部２５６と係合することができる、３つの内側に突出するフック２３２を含む中央円筒管部を有する。これにより、装置使用の際に、針シールドからキャップが確実に取り外される。また、キャップは、キャップの外周に等しく離間し、下部筐体３４０と係合するよう構成された、３つの内側に突出する突起２３４を有する。キャップを取り外すには、ユーザは単にキャップをつかんで２本の指で押さえ、キャップを下部筐体から引っ張るだけでよい。等しく離間した３つの突起の使用により、ユーザがキャップを径方向に押さえつけると、キャップが押さえつけられる方向に関わらず、これらの突起のうち少なくとも２つが確実に外側に移動して下部筐体から外れる。これにより、キャップの簡単な取り外しが保証される。
【０１６５】
図２８ａ〜図２８ｅは、動作シーケンスを説明する第２の実施形態の断面図である。図２８ａは、キャップを取り外した直後でスキンセンサー要素を注射部位に押し付ける前の装置を示す。針シールドアセンブリが、キャップと一緒に取り外されていることがわかる。
【０１６６】
図２８ｂは、スキンセンサー要素３１２が押し戻されてスキンセンサーバネ３１４が圧縮された状態の装置を示す。スキンセンサー要素の支えアーム３１８はシャーシに当接して、スキンセンサー要素のさらに後方への移動を防止している。この位置では、シャーシのラッチ３２２は窓３１５の中に自由に屈曲できる。
【０１６７】
図２８ｃは、挿入バネ２６１の伸長によって挿入位置に移動させられた薬物容器２１１とパワーパック筐体２６４とを示す。この位置では、針２１２が注射部位に挿入されている。駆動部材２７０は、外部筐体のロック面２２６から離れている。これは、脚部２７４を押し付け合って、突起２７２をパワーパック筐体２６４の表面２６７から外すことができることを意味する。駆動バネ２６２は自由に拡張することができる。パワーパック筐体のカム突出部２６９は、注射部位から取り外されるとスキンセンサー要素３１２が完全に延びた位置まで前方に自由に移動できるように、ラッチ要素３２４を屈折させている。
【０１６８】
図２８ｄに、拡張した駆動バネ２６２を示す。封止ホイル２１６は破れており、プランジャー２１４が薬物容器を移動して薬物が放出されている。
【０１６９】
図２８ｅは、注射部位から取り外された後の装置を示し、スキンセンサー要素が完全に延びた位置でロックされ針を覆っている状態を示している。スキンセンサー要素は、シャーシに保持されて、支えアーム３１８が下部筐体３４０の一部に係合することによって、さらに前方に移動しないようにされる。ロックアーム３１６は、屈折してスキンセンサー要素が伸長位置までスキンセンサーを通ることができるようするが、表面３１７は伸長位置でスキンセンサー要素をロックし、スキンセンサー要素の後退を防止する。
【０１７０】
図２９は、本発明の第２の実施形態にかかる自己注射器の組み立てプロセスを示す模式図である。ステップ３５０において、針２１２および針シールド２５０を含む薬物容器アセンブリ２１０に一回分の薬物とプランジャー２１４とが充填され、その後、封止ホイル２１６によって封止される。これは滅菌環境において行われる。これとは別に、ステップ３５２において、パワーパックアセンブリが外部筐体に組みつけられる。ステップ３５４において、充填された薬物容器アセンブリがパワーパックアセンブリに嵌められる。ステップ３５６において、シャーシ、スキンセンサー要素、スキンセンサーバネ、および下部筐体を含む装置の前端部が組み立てられる。パワーパック筐体は、ロックアーム２６６を含み、これは外部筐体の開口部２２４に入って挿入バネを第１の圧縮状態に保持する。ロック面２２６は、駆動部材２７０に係合して駆動バネを圧縮状態に保持する。
【０１７１】
ステップ３５８において、前端部アセンブリは、薬物容器アセンブリ、パワーパックアセンブリ、および外部筐体に連結される。薬物容器アセンブリは、シャーシのラッチアームにより保持される。下部筐体の窓部３４８は、外部筐体の窓２２２に挟まれる。窓部が外部筐体の窓と完全に係合する係合位置に向って下部筐体が移動すると、シャーシ３２０はパワーパック筐体のアーム２６６に係合してアームを開口部２２４内に移動させる。このメカニズムを図３０に示す。
【０１７２】
シャーシは、後端部にロックアーム２６６の対応するカム面２６７に係合するカム面３３６を含む。シャーシおよびパワーパックが互いに向かって移動すると、シャーシのカム面２６７がロックアームを内側に屈折させて外部筐体２２０から外れるようにする。挿入バネ２６０は、この時点で少し拡張することができるようになるが、その後下部筐体３４０が外部筐体に係合するとすぐに第２の圧縮状態で保持される。シャーシのラッチ３２２は薬物容器アセンブリ２１０に係合し、シャーシ３２０が下部筐体に固定され、下部筐体は外部筐体に固定される。したがって、挿入バネは、ラッチ３２２が薬物容器から解放されるまでは拡張することができない。第２の圧縮状態においても、挿入バネは、ラッチ３２２が解放されたときに薬物容器を挿入位置に押し付けることにより、針１２の注射部位への挿入に十分なエネルギーを蓄積している。これらの要素は、窓部３４８が窓２２２をロックする直前の一瞬の間にロックアーム２６６が外部筐体から外れるよう構成されている。
【０１７３】
キャップ３０は、通常、前端部アセンブリの組み立て中に下部筐体３４０に組み付けられるが、パワーパックと前部アセンブリとが組み合わされた後、または外部筐体が下部筐体に嵌った後に追加されてもよい。図２９のステップ３５７に、これらの選択肢を示す。図２９に示すプロセスの代替案として、薬物容器アセンブリは、パワーパックおよび外部筐体に連結される前に前端部アセンブリに組み付けられてもよい。この組み立てプロセスは、ステップ３６０で終了する。
【図１】
2019103857.tif 000003
【図２】
2019103857.tif 000004
【図３】
2019103857.tif 000005
【図４ａ】
2019103857.tif 000006
【図４ｂ】
2019103857.tif 000007
【図５】
2019103857.tif 000008
【図６ａ】
2019103857.tif 000009
【図６ｂ】
2019103857.tif 000010
【図７】
2019103857.tif 000011
【図８】
2019103857.tif 000012
【図９】
2019103857.tif 000013
【図１０】
2019103857.tif 000014
【図１１】
2019103857.tif 000015
【図１２】
2019103857.tif 000016
【図１３ａ】
2019103857.tif 000017
【図１３ｂ】
2019103857.tif 000018
【図１３ｃ】
2019103857.tif 000019
【図１３ｄ】
2019103857.tif 000020
【図１４】
2019103857.tif 000021
【図１５】
2019103857.tif 000022
【図１６ａ】
2019103857.tif 000023
【図１６ｂ】
2019103857.tif 000024
【図１６ｃ】
2019103857.tif 000025
【図１６ｄ】
2019103857.tif 000026
【図１６ｅ】
2019103857.tif 000027
【図１６ｆ】
2019103857.tif 000028
【図１６ｇ】
2019103857.tif 000029
【図１７】
2019103857.tif 000030
【図１８】
2019103857.tif 000031
【図１９】
2019103857.tif 000032
【図２０】
2019103857.tif 000033
【図２１】
2019103857.tif 000034
【図２２】
2019103857.tif 000035
【図２３】
2019103857.tif 000036
【図２４】
2019103857.tif 000037
【図２５ａ】
2019103857.tif 000038
【図２５ｂ】
2019103857.tif 000039
【図２５ｃ】
2019103857.tif 000040
【図２６】
2019103857.tif 000041
【図２７】
2019103857.tif 000042
【図２８ａ】
2019103857.tif 000043
【図２８ｂ】
2019103857.tif 000044
【図２８ｃ】
2019103857.tif 000045
【図２８ｄ】
2019103857.tif 000046
【図２８ｅ】
2019103857.tif 000047
【図２９】
2019103857.tif 000048
【図３０】
2019103857.tif 000049
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
薬物送達装置であって、
筐体と、
前記筐体に設けられ、放出対象の薬物を収容する薬物容器であって、第１の開口部を規定する第一端を有する薬物容器と、
前記薬物容器内に配置され、前記薬物と接触するプランジャーと、
前記薬物容器の前記第１の開口部に第１の閉鎖封止を設ける第１の封止要素と、
最初は前記プランジャーに対して前記第１の閉鎖封止の反対側に位置する押し込み部であって、前記第１の閉鎖封止を破り、前記プランジャーを前記薬物容器内で移動させて前記薬物を放出する押し込み部と、
前記薬物容器を前記筐体内で移動させるよう構成された挿入メカニズムとを備え、
前記押し込み部および前記挿入メカニズムは、使用前には、前記第１の封止要素とは接触しないよう保持される、薬物送達装置。
【請求項２】
請求項１に記載の薬物送達装置であって、
前記薬物容器は、前記薬物が放出される第２の開口部と、前記第１の開口部と前記第２の開口部との間に延びる少なくとも１つの側壁とを含み、
前記駆動メカニズムは、前記少なくとも１つの側壁と係合する、薬物送達装置。
【請求項３】
請求項１に記載の薬物送達装置であって、
前記プランジャーは、カップシール式プランジャーであり、前記プランジャーが前記薬物容器内を移動する際に前記プランジャーにかかる薬物の流体圧力の成分が、前記プランジャーと前記薬物容器の内表面との間の封止接触面に向うよう構成されている、薬物送達装置。
【請求項４】
請求項１に記載の薬物送達装置であって、
前記薬物容器の壁部と接触する前記プランジャーの周辺部は、実質的に非エラストマー材料を含む、薬物送達装置。
【請求項５】
請求項１に記載の薬物送達装置であって、
前記第１の封止要素が滅菌封止を設ける、薬物送達装置。
【請求項６】
請求項１に記載の薬物送達装置であって、
前記押し込み部は、装置の動作中前記第１の封止要素を貫通するように構成された、１もしくは複数の貫通要素または鋸歯を封止接触面に備える、薬物送達装置。
【請求項７】
請求項１に記載の薬物送達装置であって、
前記装置は自己注射器である、薬物送達装置。
【請求項８】
薬物送達装置であって、
筐体と、
前記筐体に設けられ、放出対象の薬物を収容する薬物容器であって、第１の開口部を規定する第一端を有する薬物容器と、
前記薬物容器内に配置され、前記薬物と接触するプランジャーと、
前記薬物容器の前記第１の開口部に第１の閉鎖封止を設ける第１の封止要素と、
最初は前記プランジャーに対して前記第１の閉鎖封止の反対側に位置する押し込み部であって、前記第１の閉鎖封止を破り、前記プランジャーを前記薬物容器内で移動させて前記薬物を放出する押し込み部と、
前記押し込み部が動作して前記第１の閉鎖封止が破られる前に、前記薬物容器を前記筐体内で移動させるよう構成された挿入メカニズムとを備え、
前記薬物容器が前記筐体内を移動する際、前記挿入メカニズムおよび筐体のいずれの要素も前記第１の封止要素に接触しない、薬物送達装置。
【請求項９】
薬物送達装置であって、
薬物容器と、
内部筐体と、
前記薬物容器に連結され、前記筐体内で前記薬物容器を挿入方向に移動させるよう構成された挿入メカニズムと、
使用時には注射部位に接触するよう構成されたスキンセンサー要素と、
前記スキンセンサーを前記挿入方向に付勢するスキンセンサー付勢要素とを備え、
前記スキンセンサー要素は、前記挿入メカニズムを作動させるために、初期位置から後退位置へ、前記挿入方向とは反対方向に動くことができ、
前記内部筐体は、前記スキンセンサー要素が前記挿入方向へ前記初期位置から移動することを抑制する第１のラッチ要素を含み、前記第１のラッチ要素は、前記スキンセンサー要素に係合するラッチ面と、第１のカム表面とを含み、
前記薬物容器または前記挿入メカニズムは、第２のカム表面を含み、前記第２のカム表面は、前記薬物容器が前記内部筐体内を移動すると前記第１のカム表面に係合して前記第１のラッチ要素を移動し、これにより、前記スキンセンサー要素が前記初期位置を超えて伸長位置まで前記挿入方向に移動することが可能となるよう構成される、薬物送達装置。